Podtech/llm-jp-corpus-v4-ja_patent huggingface dataset:
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
被検体の生体情報を検出する生体情報検出部と、
表示部と、
前記生体情報の測定処理、及び前記被検体の姿勢状態の判別処理を行う処理部と、
を含み、
前記表示部は、
前記姿勢状態に応じて変化する姿勢状態通知画像を表示し、
前記処理部は、
前記被検体の前記姿勢状態に応じて、前記測定処理を行うことを特徴とする生体情報検出装置。
【請求項２】
請求項１において、
前記表示部は、
前記姿勢状態を表すオブジェクトの表示位置が、前記姿勢状態に応じて変化する画像を、前記姿勢状態通知画像として表示することを特徴とする生体情報検出装置。
【請求項３】
請求項１又は２において、
前記処理部は、
前記被検体の前記姿勢状態が、前記生体情報の前記測定処理を行う姿勢として適切であるかを判定する処理を行い、前記姿勢状態が適切であると判定された場合に、前記生体情報の前記測定処理を行うことを特徴とする生体情報検出装置。
【請求項４】
請求項３において、
前記処理部において、前記姿勢状態が適切であると判定された場合に、
前記表示部は、
画像中の第１の領域に前記オブジェクトが表示される画像を前記姿勢状態通知画像として表示することを特徴とする生体情報検出装置。
【請求項５】
請求項３又は４において、
前記生体情報検出装置が前記被検体に装着され、前記被検体の肘から手首への方向をＸ軸とし、前記Ｘ軸と直交し、前記表示部の画面に直交する方向をＺ軸とし、前記Ｘ軸及び前記Ｚ軸に直交する軸をＹ軸とし、重力方向に直交する水平面に対する前記Ｘ軸の回転を表す角度を第１の角度θｘとし、前記水平面に対する前記Ｙ軸の回転を表す角度を第２の角度θｙとした場合に、
前記処理部は、
前記θｘが第１の角度範囲にあると判定され、且つ前記θｙが第２の角度範囲にあると判定された場合に、前記姿勢状態が適切であると判定することを特徴とする生体情報検出装置。
【請求項６】
請求項５において、
前記第２の角度θｙについて、前記水平面に対して前記重力方向側の回転を表す角度を正の値とし、前記重力方向と反対側の回転を表す角度を負の値とした場合に、
前記処理部は、
前記第２の角度θｙが、中央値が負の値となる前記第２の角度範囲にあると判定された場合に、前記姿勢状態が適切であると判定することを特徴とする生体情報検出装置。
【請求項７】
請求項４乃至６のいずれかにおいて、
前記処理部において、前記姿勢状態が適切であると判定された場合に、
前記表示部は、
前記第１の領域に前記オブジェクトが表示される画像を、前記姿勢状態通知画像として所与の時間だけ継続して表示することを特徴とする生体情報検出装置。
【請求項８】
請求項７において、
前記表示部は、
前記所与の時間の経過後に、前記処理部において前記生体情報の前記測定処理を行っていることを表す測定状態通知画像を表示することを特徴とする生体情報検出装置。
【請求項９】
請求項８において、
前記所与の時間の経過後の前記測定状態通知画像の表示中に、前記処理部において前記姿勢状態が適切でないと判定された場合に、
前記処理部は、
前記生体情報の前記測定処理を終了し、
前記表示部は、
前記測定状態通知画像の表示を終了し、前記姿勢状態通知画像の表示を行うことを特徴とする生体情報検出装置。
【請求項１０】
請求項４乃至９のいずれかにおいて、
前記処理部において、前記姿勢状態が適切でないと判定された場合に、
前記表示部は、
画像中の前記第１の領域とは異なる第２の領域に前記オブジェクトが表示される画像を前記姿勢状態通知画像として表示するとともに、
前記第１の領域に表示される場合と、前記第２の領域に表示される場合とで、前記オブジェクトの表示態様が異なる画像を前記姿勢状態通知画像として表示することを特徴とする生体情報検出装置。
【請求項１１】
請求項１乃至１０のいずれかにおいて、
前記被検体への前記生体情報検出部の押圧を発生させる荷重機構を含み、
前記荷重機構の荷重状態は、前記押圧の状態の異なる第１〜第Ｎ（Ｎは２以上の整数）の荷重状態のいずれかに設定され、
前記処理部は、
前記荷重機構が第ｉ（ｉは１≦ｉ≦Ｎを満たす整数）の荷重状態での前記姿勢状態の判別処理を行い、
前記表示部は、
前記第ｉの荷重状態での前記姿勢状態の変化に応じて動的に変化する前記姿勢状態通知画像を表示することを特徴とする生体情報検出装置。
【請求項１２】
請求項１１において、
前記処理部において、前記判別処理の結果前記姿勢状態が適切であると判定された場合に、
前記処理部は、
前記第ｉの荷重状態での前記生体情報の前記測定処理を行い、
前記表示部は、
前記処理部での前記測定処理の終了後に、前記荷重機構を前記第ｉの荷重状態とは異なる第ｊ（ｊは１≦ｊ≦Ｎ、ｉ≠ｊを満たす整数）の荷重状態へ変更する指示を行う指示画像を表示することを特徴とする生体情報検出装置。
【請求項１３】
請求項１１又は１２において、
前記処理部は、
前記第１〜第Ｎの荷重状態のうち少なくとも２つの荷重状態において取得された、前記生体情報の前記測定処理の結果に基づいて、前記被検体に対する前記押圧の適正値を表す適正押圧情報を求める適正押圧情報取得処理を行うことを特徴とする生体情報検出装置。
【請求項１４】
被検体の生体情報を検出する生体情報検出部と、
情報の提示を行う提示部と、
前記生体情報の測定処理、及び前記被検体の姿勢状態の判別処理を行う処理部と、
を含み、
前記提示部は、
前記姿勢状態に応じて異なる提示態様をとることで、前記姿勢状態に関する前記情報を提示し、
前記処理部は、
前記被検体の前記姿勢状態に応じて、前記測定処理を行うことを特徴とする生体情報検出装置。
【請求項１５】
請求項１４において、
前記処理部は、
前記被検体の前記姿勢状態が、前記生体情報の前記測定処理を行う姿勢として適切であるかを判定する処理を行い、前記姿勢状態が適切であると判定された場合に、前記生体情報の前記測定処理を行うことを特徴とする生体情報検出装置。
【請求項１６】
被検体の生体情報を検出する生体情報検出部と、
表示部と、
前記生体情報の測定処理、及び前記被検体の姿勢状態の判別処理を行う処理部と、
を含み、
前記表示部は、
前記姿勢状態に応じて変化する姿勢状態通知画像を表示し、
前記処理部は、
前記被検体の前記姿勢状態が、前記生体情報の前記測定処理を行う姿勢として適切であるかを判定する処理を行うことを特徴とする生体情報検出装置。
【請求項１７】
被検体の生体情報を取得する生体情報取得部と、
前記生体情報の測定処理、及び前記被検体の姿勢状態の判別処理を行う処理部と、
前記姿勢状態に応じて変化する姿勢状態通知画像を、表示部に表示する制御を行う表示制御部として、
コンピューターを機能させ、
前記処理部は、
前記被検体の前記姿勢状態に応じて、前記測定処理を行うことを特徴とするプログラム。
【請求項１８】
請求項１７において、
前記処理部は、
前記被検体の前記姿勢状態が、前記生体情報の前記測定処理を行う姿勢として適切であるかを判定する処理を行い、前記姿勢状態が適切であると判定された場合に、前記生体情報の前記測定処理を行うことを特徴とするプログラム。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
被検体の脈波信号を検出する脈波信号検出部と、
前記被検体への前記脈波信号検出部の押圧が、第１の押圧状態〜第Ｎ（Ｎは２以上の整数）の押圧状態であるときの前記脈波信号のレベルの測定処理を行う処理部と、
前記第１の押圧状態〜前記第Ｎの押圧状態での前記脈波信号の前記レベルの前記測定処理の結果のうちの、第１の測定結果〜第Ｍ（ＭはＭ≦Ｎを満たす整数）の測定結果を表示する表示部と、
を含むことを特徴とする生体情報検出装置。
【請求項２】
請求項１において、
前記表示部は、
前記脈波信号の前記レベルの正規化処理が行われた前記第１の測定結果〜前記第Ｍの測定結果を表示することを特徴とする生体情報検出装置。
【請求項３】
請求項２において、
前記表示部は、
前記第１の測定結果〜前記第Ｍの測定結果のうちの前記レベルの最大値により、前記正規化処理が行われた前記第１の測定結果〜前記第Ｍの測定結果を表示することを特徴とする生体情報検出装置。
【請求項４】
請求項３において、
前記第１の押圧状態〜第ｉ（ｉは２≦ｉ≦Ｎを満たす整数）の押圧状態での前記脈波信号の前記レベルの前記測定処理の結果が取得され、第ｉ＋１の押圧状態〜前記第Ｎの押圧状態での前記脈波信号の前記レベルの前記測定処理の結果が未取得である場合に、
前記表示部は、
前記第１の押圧状態〜前記第ｉの押圧状態での前記測定処理の結果に含まれる前記第１の測定結果〜第ｊ（ｊはｊ≦ｉを満たす整数）の測定結果のうちの前記レベルの最大値により前記正規化処理を行い、前記正規化処理が行われた前記第１の測定結果〜前記第ｊの測定結果を表示することを特徴とする生体情報検出装置。
【請求項５】
請求項４において、
前記表示部は、
押圧状態を前記第ｉ＋１の押圧状態へと変更する指示を行う指示画面を表示し、
前記処理部において、前記第ｉ＋１の押圧状態での前記脈波信号の前記レベルの前記測定処理が開始された場合には、
前記表示部は、
前記第１の測定結果〜前記第ｊの測定結果とともに、測定処理中の前記第ｉ＋１の押圧状態での前記脈波信号の前記レベルの暫定測定結果を表示することを特徴とする生体情報検出装置。
【請求項６】
請求項５において、
前記表示部は、
前記暫定測定結果の表示として、前記第ｉ＋１の押圧状態での前記脈波信号の変動に対応して変動するアニメーション表示を行うことを特徴とする生体情報検出装置。
【請求項７】
請求項１乃至６のいずれかにおいて、
前記処理部は、
前記第１の押圧状態〜前記第Ｎの押圧状態で、前記被検体の姿勢状態が、前記脈波信号の前記測定処理を行う姿勢として適切であるかを判定する判別処理を行い、
前記表示部は、
前記第１の押圧状態〜前記第Ｎの押圧状態で、前記姿勢状態の変化に応じて動的に変化する前記姿勢状態通知画像を表示することを特徴とする生体情報検出装置。
【請求項８】
請求項７において、
前記表示部は、
前記姿勢状態を表すオブジェクトの表示位置が、前記姿勢状態に応じて変化する画像を、前記姿勢状態通知画像として表示することを特徴とする生体情報検出装置。
【請求項９】
請求項８において、
前記第１の押圧状態〜第ｉ（ｉは２≦ｉ≦Ｎを満たす整数）の押圧状態での前記測定処理の結果が取得され、第ｉ＋１の押圧状態〜前記第Ｎの押圧状態での前記測定処理の結果が未取得であり、前記第ｉ＋１の押圧状態において、前記処理部で前記姿勢状態が適切であると判定された場合に、
前記処理部は、
前記第ｉ＋１の押圧状態での、前記脈波信号の前記レベルの前記測定処理を開始し、
前記表示部は、
前記第１の押圧状態〜前記第ｉの押圧状態での前記測定処理の結果に含まれる前記第１の測定結果〜第ｊ（ｊはｊ≦ｉを満たす整数）の測定結果、及び測定処理中の前記第ｉ＋１の押圧状態での前記脈波信号の前記レベルの暫定測定結果を表示することを特徴とする生体情報検出装置。
【請求項１０】
請求項９において、
前記第ｉ＋１の押圧状態において、前記処理部で前記姿勢状態が適切であると判定された場合に、
前記表示部は、
前記姿勢状態が適切である状態に対応する画像中の第１の領域に、前記オブジェクトが表示される画像を、前記姿勢状態通知画像として所与のウェイト時間だけ継続して表示することを特徴とする生体情報検出装置。
【請求項１１】
請求項１０において、
前記表示部は、
前記ウェイト時間の経過後に、前記第１の測定結果〜前記第ｊの測定結果、及び前記第ｉ＋１の押圧状態での前記暫定測定結果を表示することを特徴とする生体情報検出装置。
【請求項１２】
請求項９乃至１１のいずれかにおいて、
前記処理部において、前記第ｉ＋１の押圧状態での前記測定処理の結果が取得された場合に、
前記表示部は、
押圧状態を第ｉ＋２の押圧状態へと変更する指示を行う指示画面を表示し、
前記指示画面に従って前記押圧状態が前記第ｉ＋２の押圧状態へと変更された場合に、
前記表示部は、
前記第ｉ＋２の押圧状態での前記姿勢状態通知画像を表示することを特徴とする生体情報検出装置。
【請求項１３】
請求項１乃至１２のいずれかにおいて、
前記処理部は、
前記第１の押圧状態〜前記第Ｎの押圧状態のうち少なくとも２つの押圧状態において取得された、前記脈波信号の前記測定処理の結果に基づいて、前記被検体に対する前記押圧の適正値を表す適正押圧情報を求める適正押圧情報取得処理を行うことを特徴とする生体情報検出装置。
【請求項１４】
請求項１乃至１３のいずれかにおいて、
前記第１の測定結果〜前記第Ｍの測定結果は、前記第１の押圧状態〜前記第Ｎの押圧状態での前記脈波信号の前記レベルの前記測定処理の結果のうち、少なくとも前記レベルが最大となる測定結果を含むことを特徴とする生体情報検出装置。
【請求項１５】
被検体の脈波信号を取得する脈波信号取得部と、
前記被検体への脈波信号検出部の押圧が、第１の押圧状態〜第Ｎ（Ｎは２以上の整数）の押圧状態であるときの前記脈波信号のレベルの測定処理を行う処理部と、
前記第１の押圧状態〜前記第Ｎの押圧状態での前記脈波信号の前記レベルの前記測定処理の結果のうちの、第１の測定結果〜第Ｍ（ＭはＭ≦Ｎを満たす整数）の測定結果を表示部に表示する制御を行う表示制御部として、
コンピューターを機能させることを特徴とするプログラム。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
チューブを押圧することにより流体を送るポンプと、
前記チューブ周縁の温度を測定する温度測定部と、
測定した前記温度によって前記ポンプの駆動量を制御する制御部と、
を備える流体注入装置。
【請求項２】
請求項１に記載の流体注入装置であって、
前記ポンプは、前記チューブを順次押す複数のフィンガーを備えることを特徴とする流体注入装置。
【請求項３】
請求項１又は請求項２に記載の流体注入装置であって、
前記チューブの材質は、スチレン系熱可塑性エラストマー及びオレフィン系熱可塑性エラストマーのいずれか一方であることを特徴とする流体注入装置。
【請求項４】
請求項１乃至請求項３のいずれかに記載の流体注入装置であって、
前記制御部は、前記温度が第１の温度のときにおいて第１の駆動量で前記ポンプを駆動し、前記温度が前記第１の温度よりも低いときにおいて前記第１の駆動量よりも高い駆動量で前記ポンプを駆動することを特徴とする流体注入装置。
【請求項５】
請求項１乃至請求項４のいずれかに記載の流体注入装置であって、
前記温度測定部は、前記チューブに密着される電気抵抗部材を含むことを特徴とする流体注入装置。
【請求項６】
請求項１乃至請求項５のいずれかに記載の流体注入装置であって、
前記温度測定部は、
前記チューブに関連する温度に伴い電気抵抗が変化する第１電極であって、前記チューブの円周の一部に設けられる第１電極と、
前記第１電極とともに前記チューブを挟み、前記第電極と対向する位置に第２電極と、を備え、
前記第１電極の電気抵抗の変化に基づいて前記チューブに関連する温度を測定すると共に、前記第１電極と前記第２電極との間の静電容量の変化に基づいて前記チューブに気泡が混入しているか否かを判定することを特徴とする流体注入装置。
【請求項７】
請求項６に記載の流体注入装置であって、
前記第１電極は１本の抵抗線が折り曲げられ当該抵抗線が複数平行に並ぶように成型されていることを特徴とする流体注入装置。
【請求項８】
請求項６又は請求項７に記載の流体注入装置であって、
前記第２電極は板状の部材であることを特徴とする流体注入装置。
【手続補正書】
【提出日】平成28年2月26日(2016.2.26)
【手続補正１】
【補正対象書類名】明細書
【補正対象項目名】発明の名称
【補正方法】変更
【補正の内容】
【発明の名称】スロットマシン
【手続補正２】
【補正対象書類名】明細書
【補正対象項目名】０００１
【補正方法】変更
【補正の内容】
【０００１】
本発明は、遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、内部抽選で当選した役に対応する図柄組合せ態様が導出されると当該役の入賞が成立するスロットマシンに関する。
【手続補正３】
【補正対象書類名】明細書
【補正対象項目名】０００２
【補正方法】変更
【補正の内容】
【０００２】
従来の遊技機、例えばスロットマシンにおいては、複数の図柄を変動表示可能な複数のリールと、複数のリールの変動表示を伴うゲームの実行毎に役の内部抽選を行う抽選手段と、複数のリールを個別に停止表示するための複数の停止操作部とを備えており、複数の停止操作部の操作により停止表示させたゲームの結果が内部抽選で当選した役に対応する図柄出目になると、当該役の入賞が成立するよう構成されている。
このようなスロットマシンにおいては、停止操作部の操作順序に応じて入賞が成立したり入賞が成立しなかったりする役（特殊役）を設け、通常遊技状態においては特殊役が当選しても入賞が成立する停止操作部の操作順序（操作アシスト情報）を報知せず、所定条件の成立により発生する特定遊技状態（ＡＴやＡＲＴ）においては特殊役が当選した場合に入賞が成立する停止操作部の操作順序を報知するものも提案されている（例えば、特許文献１参照）。
【手続補正４】
【補正対象書類名】明細書
【補正対象項目名】０００３
【補正方法】変更
【補正の内容】
【０００３】
【特許文献１】特開２０１２−１９２２８６号公報
【手続補正５】
【補正対象書類名】明細書
【補正対象項目名】０００４
【補正方法】変更
【補正の内容】
【０００４】
ところで、上記したようなスロットマシンでは、表示装置において動的な背景の表示や演出が実行されている最中に停止順序を示す数字が表示された場合、数字の視認性が十分でないため、どの順序で停止操作を行えばよいのか報知できているとは言えなかった。
【手続補正６】
【補正対象書類名】明細書
【補正対象項目名】０００５
【補正方法】変更
【補正の内容】
【０００５】
本発明の目的は、役の入賞を成立させるための停止順序を報知可能なスロットマシンにおいて、どの順序で停止操作を行えばよいのか報知できるようにすることである。
【手続補正７】
【補正対象書類名】明細書
【補正対象項目名】０００６
【補正方法】変更
【補正の内容】
【０００６】
以上の課題を解決するため、請求項１に記載の発明は、遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、前記内部抽選で当選した役に対応する図柄組合せ態様が導出されると当該役の入賞が成立するスロットマシンにおいて、
前記表示装置とは別に設けられた発光装置と、
予め定めた特定役の入賞が連続して成立したことに基づいて、遊技者にとって有利な特定遊技状態を発生させることが可能な特定遊技状態発生手段と、を備え、
前記内部抽選で当選可能な役には、前記複数のリールが所定の停止順序で停止され、当選した役に対応する図柄組合せ態様が導出されることで入賞が成立する特殊役を含み、
前記発光装置は、前記特殊役に対応する図柄組合せ態様を導出可能な停止順序を所定の発光態様で報知可能であることを特徴とする。
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】変更
【補正の内容】
【００２２】
本発明によれば、どの順序で停止操作を行えばよいのか報知することができる。
【手続補正２４】
【補正対象書類名】特許請求の範囲
【補正対象項目名】全文
【補正方法】変更
【補正の内容】
【特許請求の範囲】
【請求項１】
遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、前記内部抽選で当選した役に対応する図柄組合せ態様が導出されると当該役の入賞が成立するスロットマシンにおいて、
前記表示装置とは別に設けられた発光装置と、
予め定めた特定役の入賞が連続して成立したことに基づいて、遊技者にとって有利な特定遊技状態を発生させることが可能な特定遊技状態発生手段と、を備え、
前記内部抽選で当選可能な役には、前記複数のリールが所定の停止順序で停止され、当選した役に対応する図柄組合せ態様が導出されることで入賞が成立する特殊役を含み、
前記発光装置は、前記特殊役に対応する図柄組合せ態様を導出可能な停止順序を所定の発光態様で報知可能であることを特徴とするスロットマシン。
【手続補正書】
【提出日】平成28年2月26日(2016.2.26)
【手続補正１】
【補正対象書類名】明細書
【補正対象項目名】発明の名称
【補正方法】変更
【補正の内容】
【発明の名称】スロットマシン
【手続補正２】
【補正対象書類名】明細書
【補正対象項目名】０００１
【補正方法】変更
【補正の内容】
【０００１】
本発明は、遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、内部抽選で当選した役に対応する図柄組合せ態様が導出されると当該役の入賞が成立するスロットマシンに関する。
【手続補正３】
【補正対象書類名】明細書
【補正対象項目名】０００２
【補正方法】変更
【補正の内容】
【０００２】
従来の遊技機、例えばスロットマシンにおいては、複数の図柄を変動表示可能な複数の変動表示手段（リール）と、該変動表示を伴うゲームの実行毎に役の内部抽選を行う抽選手段とを備え、ゲームの停止結果が内部抽選で当選した入賞役に対応する図柄組合せ態様になると、当該入賞役の入賞が成立するよう構成されている。
このようなスロットマシンにおいては、内部抽選結果に基づいて通常遊技状態よりも遊技者に有利な特定遊技状態（ＡＴ状態やＡＲＴ状態等）を発生させるものが知られており、その中には、特定役に当選した場合に、当該特定役の入賞を成立させるためのリールの停止順序を示す数字を表示装置で表示するようなものもある（例えば、特許文献１参照）。
【手続補正４】
【補正対象書類名】明細書
【補正対象項目名】０００３
【補正方法】変更
【補正の内容】
【０００３】
【特許文献１】特開２０１２−１４３２５７号公報
【手続補正５】
【補正対象書類名】明細書
【補正対象項目名】０００４
【補正方法】変更
【補正の内容】
【０００４】
ところで、上記したようなスロットマシンでは、表示装置において動的な背景の表示や演出が実行されている最中に停止順序を示す数字や当選役に関する情報が表示された場合、数字や当選役に関する情報の視認性が十分でないため、どの順序で停止操作を行えばよいのか、どの役に当選しているのか、を報知できているとは言えなかった。
【手続補正６】
【補正対象書類名】明細書
【補正対象項目名】０００５
【補正方法】変更
【補正の内容】
【０００５】
本発明の目的は、役の入賞を成立させるための停止順序を報知可能なスロットマシンにおいて、どの順序で停止操作を行えばよいのか、どの役に当選しているのか、を報知できるようにすることである。
【手続補正７】
【補正対象書類名】明細書
【補正対象項目名】０００６
【補正方法】変更
【補正の内容】
【０００６】
以上の課題を解決するため、請求項１に記載の発明は、遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、前記内部抽選で当選した役に対応する図柄組合せ態様が導出されると当該役の入賞が成立するスロットマシンにおいて、
前記表示装置とは別に設けられた発光装置を備え、
前記内部抽選で当選可能な役には、
前記複数のリールが所定の停止順序で停止され、当選した役に対応する図柄組合せ態様が導出されることで入賞が成立する特殊役を含むとともに、
それぞれ複数のグループのうちの何れかが対応付けられており、
前記発光装置は、
前記内部抽選で当選する役に対応するグループを所定の発光態様にて報知可能であり、
前記特殊役に対応する図柄組合せ態様を導出可能な停止順序を報知可能であることを特徴とする。
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】変更
【補正の内容】
【００２０】
本発明によれば、どの順序で停止操作を行えばよいのか、どの役に当選しているのか、を報知することができる。
【手続補正２２】
【補正対象書類名】特許請求の範囲
【補正対象項目名】全文
【補正方法】変更
【補正の内容】
【特許請求の範囲】
【請求項１】
遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、前記内部抽選で当選した役に対応する図柄組合せ態様が導出されると当該役の入賞が成立するスロットマシンにおいて、
前記表示装置とは別に設けられた発光装置を備え、
前記内部抽選で当選可能な役には、
前記複数のリールが所定の停止順序で停止され、当選した役に対応する図柄組合せ態様が導出されることで入賞が成立する特殊役を含むとともに、
それぞれ複数のグループのうちの何れかが対応付けられており、
前記発光装置は、
前記内部抽選で当選する役に対応するグループを所定の発光態様にて報知可能であり、
前記特殊役に対応する図柄組合せ態様を導出可能な停止順序を報知可能であることを特徴とするスロットマシン。
【手続補正書】
【提出日】平成28年2月26日(2016.2.26)
【手続補正１】
【補正対象書類名】明細書
【補正対象項目名】発明の名称
【補正方法】変更
【補正の内容】
【発明の名称】スロットマシン
【手続補正２】
【補正対象書類名】明細書
【補正対象項目名】０００１
【補正方法】変更
【補正の内容】
【０００１】
本発明は、遊技に応じた演出を行う表示装置と、複数の図柄を変動表示可能な複数のリールと、複数のリールの変動表示を伴うゲームの実行毎に役の内部抽選を行う抽選手段と、複数のリールを個別に停止表示させるための複数の停止操作部と、を備え、複数の停止操作部の操作により停止表示させたゲームの結果が内部抽選で当選した役に対応する停止図柄態様になると、当該役の入賞が成立するスロットマシンに関する。
【手続補正３】
【補正対象書類名】明細書
【補正対象項目名】０００２
【補正方法】変更
【補正の内容】
【０００２】
従来の遊技機、例えばスロットマシンにおいては、複数の図柄を変動表示可能な複数の変動表示手段（リール）と、該変動表示を伴うゲームの実行毎に役の内部抽選を行う抽選手段とを備え、ゲームの停止結果が内部抽選で当選した入賞役に対応する図柄組合せ態様になると、当該入賞役の入賞が成立するよう構成されている。
このようなスロットマシンにおいては、内部抽選結果に基づいて通常遊技状態よりも遊技者に有利な特定遊技状態（ＡＴ状態やＡＲＴ状態等）を発生させるものが知られており、その中には、特定役に当選した場合に、当該特定役の入賞を成立させるためのリールの停止順序を示す数字を表示装置で表示するようにしたものも提案されている（例えば、特許文献１参照）。
【手続補正４】
【補正対象書類名】明細書
【補正対象項目名】０００３
【補正方法】変更
【補正の内容】
【０００３】
【特許文献１】特開２０１２−１４３２５７号公報
【手続補正５】
【補正対象書類名】明細書
【補正対象項目名】０００４
【補正方法】変更
【補正の内容】
【０００４】
ところで、上記したようなスロットマシンでは、表示装置において動的な背景の表示や演出が実行されている最中に停止順序を示す数字が表示された場合に、数字の視認性が十分でないため、どの順序で停止操作を行えばよいのか、どの役に当選しているのか、を報知できているとは言えなかった。
【手続補正６】
【補正対象書類名】明細書
【補正対象項目名】０００５
【補正方法】変更
【補正の内容】
【０００５】
本発明の目的は、役の入賞を成立させるための停止順序を報知可能なスロットマシンにおいて、どの順序で停止操作を行えばよいのか、どの役に当選しているのか、を報知できるようにすることである。
【手続補正７】
【補正対象書類名】明細書
【補正対象項目名】０００６
【補正方法】変更
【補正の内容】
【０００６】
以上の課題を解決するため、請求項１に記載の発明は、遊技に応じた演出を行う表示装置と、複数の図柄を変動表示可能な複数のリールと、前記複数のリールの変動表示を伴うゲームの実行毎に役の内部抽選を行う抽選手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記表示装置とは別に設けられた複数の発光手段と、
前記複数の発光手段の発光態様を制御する発光態様制御手段と、を備え、
前記内部抽選で当選可能な役には、前記複数のリールが所定の停止順序で停止表示され、当選した役に対応する停止図柄態様なることで入賞が成立する特殊役を含み、
前記発光態様制御手段は、
前記複数の発光手段を、前記特殊役に対応する停止図柄態様を導出可能な停止順序に基づく発光態様で発光させる制御を実行し、
所定条件が成立した場合に、前記複数の発光手段を、それぞれ同一の発光態様で発光させる制御を実行することを特徴とする。
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】変更
【補正の内容】
【００２１】
本発明によれば、どの順序で停止操作を行えばよいのか、どの役に当選しているのか、を報知することができる。
【手続補正２３】
【補正対象書類名】特許請求の範囲
【補正対象項目名】全文
【補正方法】変更
【補正の内容】
【特許請求の範囲】
【請求項１】
遊技に応じた演出を行う表示装置と、複数の図柄を変動表示可能な複数のリールと、前記複数のリールの変動表示を伴うゲームの実行毎に役の内部抽選を行う抽選手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記表示装置とは別に設けられた複数の発光手段と、
前記複数の発光手段の発光態様を制御する発光態様制御手段と、を備え、
前記内部抽選で当選可能な役には、前記複数のリールが所定の停止順序で停止表示され、当選した役に対応する停止図柄態様なることで入賞が成立する特殊役を含み、
前記発光態様制御手段は、
前記複数の発光手段を、前記特殊役に対応する停止図柄態様を導出可能な停止順序に基づく発光態様で発光させる制御を実行し、
所定条件が成立した場合に、前記複数の発光手段を、それぞれ同一の発光態様で発光させる制御を実行することを特徴とするスロットマシン。
【手続補正書】
【提出日】平成28年2月26日(2016.2.26)
【手続補正１】
【補正対象書類名】明細書
【補正対象項目名】０００１
【補正方法】変更
【補正の内容】
【０００１】
本発明は、遊技に応じた演出を行う表示装置を備え、開始操作に基づき役の内部抽選を行って複数のリールの変動表示を伴うゲームを実行し、停止操作に基づき内部抽選の結果に応じた図柄組合せ態様が導出され得るように複数のリールの停止制御を行うスロットマシンに関する。
【手続補正２】
【補正対象書類名】明細書
【補正対象項目名】０００３
【補正方法】変更
【補正の内容】
【０００３】
このようなスロットマシンにおいては、内部抽選結果に基づいて通常遊技状態よりも遊技者に有利な特定遊技状態（ＡＴ状態やＡＲＴ状態等）を発生させるものが知られており、その中には、特定役に当選した場合に、当該特定役の入賞を成立させるためのリールの停止順序を示す数字を表示装置で表示するようなものもある（例えば、特許文献１参照）。
【手続補正３】
【補正対象書類名】明細書
【補正対象項目名】０００４
【補正方法】変更
【補正の内容】
【０００４】
【特許文献１】特開２０１２−１４３２５７号公報
【手続補正４】
【補正対象書類名】明細書
【補正対象項目名】０００５
【補正方法】変更
【補正の内容】
【０００５】
ところで、上記したようなスロットマシンでは、表示装置において動的な背景の表示や演出が実行されている最中に停止順序を示す数字や当選役に関する情報が表示された場合、数字や当選役に関する情報の視認性が十分でないため、どの順序で停止操作を行えばよいのか、どの役に当選しているのか、を報知できているとは言えなかった。
【手続補正５】
【補正対象書類名】明細書
【補正対象項目名】０００６
【補正方法】変更
【補正の内容】
【０００６】
本発明の目的は、役の入賞を成立させるための停止操作態様を示す案内表示を表示可能なスロットマシンにおいて、どのような態様で停止操作を行えばよいのか、どの役に当選しているのか、を報知できるようにすることである。
【手続補正６】
【補正対象書類名】明細書
【補正対象項目名】０００７
【補正方法】変更
【補正の内容】
【０００７】
以上の課題を解決するため、請求項１に記載の発明は、遊技に応じた演出を行う第１表示装置を備え、開始操作に基づき役の内部抽選を行って複数のリールの変動表示を伴うゲームを実行し、停止操作に基づき前記内部抽選の結果に応じた図柄組合せ態様が導出され得るように複数のリールの停止制御を行うスロットマシンにおいて、
前記第１表示装置とは別に設けられた第２表示装置を備え、
前記第２表示装置は、
前記内部抽選によって当選した役を報知可能であり、
前記当選した役に対応する図柄組合せ態様を導出可能な停止操作態様を示す案内表示を表示可能であることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】変更
【補正の内容】
【００２３】
本発明によれば、どのような態様で停止操作を行えばよいのか、どの役に当選しているのか、を報知することができる。
【手続補正２３】
【補正対象書類名】特許請求の範囲
【補正対象項目名】全文
【補正方法】変更
【補正の内容】
【特許請求の範囲】
【請求項１】
遊技に応じた演出を行う第１表示装置を備え、開始操作に基づき役の内部抽選を行って複数のリールの変動表示を伴うゲームを実行し、停止操作に基づき前記内部抽選の結果に応じた図柄組合せ態様が導出され得るように複数のリールの停止制御を行うスロットマシンにおいて、
前記第１表示装置とは別に設けられた第２表示装置を備え、
前記第２表示装置は、
前記内部抽選によって当選した役を報知可能であり、
前記当選した役に対応する図柄組合せ態様を導出可能な停止操作態様を示す案内表示を表示可能であることを特徴とするスロットマシン。
【手続補正書】
【提出日】平成28年2月26日(2016.2.26)
【手続補正１】
【補正対象書類名】明細書
【補正対象項目名】０００１
【補正方法】変更
【補正の内容】
【０００１】
本発明は、遊技に応じた演出を行う表示装置を備え、開始操作に基づき役に当選か否かを決定する内部抽選を行うとともに複数のリールの変動表示を伴うゲームを実行し、停止操作に基づき複数のリールの変動表示を停止させた結果として、内部抽選で当選した役に対応する図柄組合せ態様が導出されると当該役の入賞が成立するスロットマシンに関する。
【手続補正２】
【補正対象書類名】明細書
【補正対象項目名】０００３
【補正方法】変更
【補正の内容】
【０００３】
このようなスロットマシンにおいては、内部抽選結果に基づいて通常遊技状態よりも遊技者に有利な特定遊技状態（ＡＴ状態やＡＲＴ状態等）を発生させるものが知られており、その中には、特定役に当選した場合に、当該特定役の入賞を成立させるためのリールの停止順序を示す数字を表示装置で表示するようなものもある（例えば、特許文献１参照）。
【手続補正３】
【補正対象書類名】明細書
【補正対象項目名】０００５
【補正方法】変更
【補正の内容】
【０００５】
ところで、上記したようなスロットマシンでは、表示装置において動的な背景の表示や演出が実行されている最中に停止順序を示す数字が表示された場合、数字の視認性が十分でないため、停止順序を報知できているとは言えなかった。
【手続補正４】
【補正対象書類名】明細書
【補正対象項目名】０００６
【補正方法】変更
【補正の内容】
【０００６】
本発明の目的は、役の入賞を成立させるための停止操作態様を示す案内表示を表示可能なスロットマシンにおいて、どのような態様で停止操作を行えばよいのか報知できるようにすることである。
【手続補正５】
【補正対象書類名】明細書
【補正対象項目名】０００７
【補正方法】変更
【補正の内容】
【０００７】
以上の課題を解決するため、請求項１に記載の発明は、遊技に応じた演出を行う第１表示装置を備え、開始操作に基づき役に当選か否かを決定する内部抽選を行うとともに複数のリールの変動表示を伴うゲームを実行し、停止操作に基づき複数のリールの変動表示を停止させた結果として、前記内部抽選で当選した役に対応する図柄組合せ態様が導出されると当該役の入賞が成立するスロットマシンにおいて、
前記第１表示装置とは別に設けられた第２表示装置を備え、
前記第２表示装置は、前記内部抽選によって当選した役に対応する図柄組合せ態様を導出可能な停止操作態様を示す案内表示を表示可能であり、
前記第１表示装置は、前記第２表示装置に表示されている前記案内表示が示す停止操作態様と異なる特定停止操作態様で停止操作がなされた場合に、当該特定停止操作態様で停止操作したことを報知する特定表示を表示可能であることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
本発明によれば、どのような態様で停止操作を行えばよいのか報知することができる。
【手続補正２１】
【補正対象書類名】特許請求の範囲
【補正対象項目名】全文
【補正方法】変更
【補正の内容】
【特許請求の範囲】
【請求項１】
遊技に応じた演出を行う第１表示装置を備え、開始操作に基づき役に当選か否かを決定する内部抽選を行うとともに複数のリールの変動表示を伴うゲームを実行し、停止操作に基づき複数のリールの変動表示を停止させた結果として、前記内部抽選で当選した役に対応する図柄組合せ態様が導出されると当該役の入賞が成立するスロットマシンにおいて、
前記第１表示装置とは別に設けられた第２表示装置を備え、
前記第２表示装置は、前記内部抽選によって当選した役に対応する図柄組合せ態様を導出可能な停止操作態様を示す案内表示を表示可能であり、
前記第１表示装置は、前記第２表示装置に表示されている前記案内表示が示す停止操作態様と異なる特定停止操作態様で停止操作がなされた場合に、当該特定停止操作態様で停止操作したことを報知する特定表示を表示可能であることを特徴とするスロットマシン。
【手続補正書】
【提出日】平成28年2月26日(2016.2.26)
【手続補正１】
【補正対象書類名】明細書
【補正対象項目名】０００１
【補正方法】変更
【補正の内容】
【０００１】
本発明は、遊技に応じた演出を行う表示装置と、複数の図柄を変動表示可能な複数のリールと、複数のリールの変動表示を伴うゲームの実行毎に役の内部抽選を行う抽選手段と、複数のリールを個別に停止表示させるための複数の停止操作部と、を備え、複数の停止操作部の操作により停止表示させたゲームの結果が内部抽選で当選した役に対応する停止図柄態様になると、当該役の入賞が成立するスロットマシンに関する。
【手続補正２】
【補正対象書類名】明細書
【補正対象項目名】０００５
【補正方法】変更
【補正の内容】
【０００５】
ところで、上記したようなスロットマシンでは、表示装置において動的な背景の表示や演出が実行されている最中に停止順序を示す数字が表示された場合、数字の視認性が十分でないため、どの順序で停止操作を行えばよいのか報知できているとは言えかった。
【手続補正３】
【補正対象書類名】明細書
【補正対象項目名】０００６
【補正方法】変更
【補正の内容】
【０００６】
本発明の目的は、役の入賞を成立させるための停止順序を報知可能なスロットマシンにおいて、どの順序で停止操作を行えばよいのか報知できるようにすることである。
【手続補正４】
【補正対象書類名】明細書
【補正対象項目名】０００７
【補正方法】変更
【補正の内容】
【０００７】
以上の課題を解決するため、請求項１に記載の発明は、遊技に応じた演出を行う表示装置と、複数の図柄を変動表示可能な複数のリールと、前記複数のリールの変動表示を伴うゲームの実行毎に役の内部抽選を行う抽選手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記表示装置とは別に設けられた発光装置を備え、
前記内部抽選で当選可能な役には、前記複数のリールが所定の停止順序で停止表示され、当選した役に対応する停止図柄態様となることで入賞が成立する特殊役を含み、
前記発光装置は、前記ゲームの結果が前記特殊役に対応する停止図柄態様になり得る停止順序を所定の発光態様で報知可能であることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】変更
【補正の内容】
【００２３】
本発明によれば、どの順序で停止操作を行えばよいのか報知することができる。
【手続補正２１】
【補正対象書類名】特許請求の範囲
【補正対象項目名】全文
【補正方法】変更
【補正の内容】
【特許請求の範囲】
【請求項１】
遊技に応じた演出を行う表示装置と、複数の図柄を変動表示可能な複数のリールと、前記複数のリールの変動表示を伴うゲームの実行毎に役の内部抽選を行う抽選手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記表示装置とは別に設けられた発光装置を備え、
前記内部抽選で当選可能な役には、前記複数のリールが所定の停止順序で停止表示され、当選した役に対応する停止図柄態様となることで入賞が成立する特殊役を含み、
前記発光装置は、前記ゲームの結果が前記特殊役に対応する停止図柄態様になり得る停止順序を所定の発光態様で報知可能であることを特徴とするスロットマシン。